(57)【要約】【課題】表示画面のサイド領域に単色表示を行い、その他の領域に画像表示を行う部分画面表示を行う場合、クロック周波数の高速化を行わず、高画質な画像表示を行うことができる平面表示装置を提供する。【解決手段】平面表示装置１において、第１表示領域２ｂ及び第２表示領域２ｃに互いに交差させて設けられた複数の走査線Ｇｎ及び複数の信号線Ｓｍと、第１表示領域２ｂの複数の信号線Ｓｍを複数の信号線群に分割し、第２表示領域２ｃの複数の信号線Ｓｍを１つの信号線群とする回路であって、全画面表示を行う場合、第１表示領域２ｂ及び第２表示領域２ｃの複数の信号線Ｓｍを順次走査し、複数の信号線に画像信号を出力し、部分画面表示を行う場合、第１表示領域２ｂの複数の信号線群を同時に走査し、さらに第２表示領域２ｃの信号線群を走査し、複数の信号線Ｓｍに画像信号を出力する信号線駆動回路４とを備える。【選択図】図１
2007148086.tif 000002
【特許請求の範囲】
【請求項１】
第１表示領域及び第２表示領域に互いに交差させて設けられた複数の走査線及び複数の信号線と、
前記複数の走査線及び前記複数の信号線に交差点毎にそれぞれ接続されて設けられた画素部と、
前記複数の走査線に１水平走査期間毎に走査信号を出力する走査線駆動回路と、
前記第１表示領域の前記複数の信号線を複数の信号線群に分割し、前記第２表示領域の前記複数の信号線を１つの信号線群とする回路であって、前記第１表示領域及び前記第２表示領域の全領域に画像表示を行う全画面表示を行う場合、前記第１表示領域及び前記第２表示領域の前記複数の信号線を前記走査信号に同期させて順次走査し、前記複数の信号線に画像信号を出力し、前記第１表示領域に単色表示を行い前記第２表示領域に画像表示を行う部分画面表示を行う場合、前記第１表示領域の前記複数の信号線群を前記走査信号に同期させて同時に走査し、前記第２表示領域の前記信号線群を前記走査信号に同期させて走査し、前記複数の信号線に画像信号を出力する信号線駆動回路と、
を備えることを特徴とする平面表示装置。
【請求項２】
前記信号線駆動回路は、
前記第１表示領域の前記複数の信号線群及び前記第２表示領域の前記信号線群にそれぞれ対応させて設けられ、それぞれ対応する前記信号線群の各信号線を順次走査する複数の走査部と、
前記全画面表示を行う場合、前記第１表示領域の前記複数の走査部及び前記第２表示領域の前記走査部をそれぞれ接続し、前記部分画面表示を行う場合、前記第１表示領域の前記複数の走査部をそれぞれ切り離す切替回路と、
を具備していることを特徴とする請求項１に記載の平面表示装置。
【請求項３】
前記複数の走査部の接続を切り替える複数の切替制御信号を生成し、前記全画面表示及び前記部分画面表示に応じて前記切替制御信号を前記切替回路に出力する生成回路を備えることを特徴とする請求項２に記載の平面表示装置。
【請求項４】
前記複数の走査部は、クロック信号に同期して動作する複数のシフトレジスタを有する半クロックシフト型のシフトレジスタ回路であり、前記シフトレジスタの奇数段と前記シフトレジスタの偶数段とが、それぞれ入力される入力信号に対するクロック信号の位相が反転となる関係にあるように前記シフトレジスタに接続されたダミーシフトレジスタを具備していることを特徴とする請求項２に記載の平面表示装置。
【発明の詳細な説明】
【技術分野】
【０００１】
本発明は、画像を表示する平面表示装置に関する。
【背景技術】
【０００２】
平面表示装置としては、液晶を用いる液晶表示装置が様々な分野で使用されている。この液晶表示装置は、薄型で軽量及び低消費電力であるため、携帯情報端末、コンピュータ及びテレビ等に用いられている。
【０００３】
アスペクト比が１６：９であるワイド型の表示画面を有し、その表示画面にアスペクト比が４：３である画像（例えば、映像）を表示することができる液晶表示装置や、アスペクト比が４：３である表示画面を有し、その表示画面にアスペクト比が１６：９である画像を表示することができる液晶表示装置等が提案されている（例えば、特許文献１参照）。
【特許文献１】特開２００５−２５０７６号公報
【発明の開示】
【発明が解決しようとする課題】
【０００４】
しかしながら、アスペクト比が１６：９であるワイド型の表示画面を有する液晶表示装置において、アスペクト比が４：３である画像を表示する場合には、表示画面の表示領域を１００％使用しようとすると、画像信号（例えば、映像信号）のブランク期間内で、表示画面の両側に黒表示（黒書き込み）を行うサイドブラック表示を行う必要があるため、クロック周波数を高速化する必要が生じてしまう。このため、表示画面の中央に位置する画像表示用のセンター領域と、表示画面の両側に位置するサイドブラック表示用のサイド領域とでは、それぞれのクロック周波数が異なってしまうという問題が発生する。
【０００５】
また、クロック周波数を１水平走査期間内で変化させるための手段は、例えば、平面表示装置が備えるコントローラに専用の回路を設けたりする必要があるため、平面表示装置のコストアップにつながってしまう。さらに、サイド領域のクロック周波数の高速化により、黒表示（単色表示）の書き込み時間が不足し、サイド領域の黒が浮いてしまうという問題も生じる。
【０００６】
本発明は、上記に鑑みてなされたものであり、その目的は、表示画面のサイド領域に単色表示を行い、その他の領域に画像表示を行う部分画面表示を行う場合、クロック周波数の高速化を行わず、高画質な画像表示を行うことができる平面表示装置を提供することである。
【課題を解決するための手段】
【０００７】
本発明の実施の形態に係る特徴は、平面表示装置において、第１表示領域及び第２表示領域に互いに交差させて設けられた複数の走査線及び複数の信号線と、複数の走査線及び複数の信号線に交差点毎にそれぞれ接続されて設けられた画素部と、複数の走査線に１水平走査期間毎に走査信号を出力する走査線駆動回路と、第１表示領域の複数の信号線を複数の信号線群に分割し、第２表示領域の複数の信号線を１つの信号線群とする回路であって、第１表示領域及び第２表示領域の全領域に画像表示を行う全画面表示を行う場合、第１表示領域及び第２表示領域の複数の信号線を走査信号に同期させて順次走査し、複数の信号線に画像信号を出力し、第１表示領域に単色表示を行い第２表示領域に画像表示を行う部分画面表示を行う場合、第１表示領域の複数の信号線群を走査信号に同期させて同時に走査し、第２表示領域の信号線群を走査信号に同期させて走査し、複数の信号線に画像信号を出力する信号線駆動回路とを備えることである。
【０００８】
本発明の実施の形態に係る特徴では、部分画面表示を行う場合、第１表示領域の複数の信号線群を同時に走査することによって、第１表示領域に対する単色表示が信号線群毎に同時に行われ、画像信号のブランク期間内にそれぞれの単色表示が完了することから、クロック周波数を高速化する必要がなく、さらに単色表示の書き込み時間が不足することもなくなり、加えて画像表示の書き込み時間を十分に確保することが可能になるので、高画質な画像表示が行われる。
【発明の効果】
【０００９】
本発明によれば、表示画面のサイド領域に単色表示を行い、その他の領域に画像表示を行う部分画面表示を行う場合、クロック周波数の高速化を行わず、高画質な画像表示を行うことができる平面表示装置を提供することができる。
【発明を実施するための最良の形態】
【００１０】
本発明を実施するための最良の一形態について図面を参照して説明する。本発明の実施の形態に係る平面表示装置は、例えばアクティブマトリックス型の液晶表示装置である。
【００１１】
図１に示すように、本実施の形態に係る平面表示装置１は、表示領域２ａに互いに交差させて設けられた複数本の走査線Ｇ１、Ｇ２〜Ｇｎ（総称してＧｎとする）及び複数本の信号線Ｓ１、Ｓ２〜Ｓｍ（総称してＳｍとする）を有する表示部２、各走査線Ｇｎを駆動する走査線駆動回路３、各信号線Ｓｍを駆動する信号線駆動回路４、及びその走査線駆動回路３と信号線駆動回路４とに制御信号を供給する外部駆動回路５等を備えている。
【００１２】
ここで、表示領域２ａは、第１表示領域としてのサイド領域２ｂと、第２表示領域としてのセンター領域２ｃとにより構成されている。サイド領域２ｂは、表示領域２ａの両側に位置する帯状の領域であり、センター領域２ｃは表示領域２ａの中央に位置する帯状の領域である。
【００１３】
表示部２は、各走査線Ｇｎ及び各信号線Ｓｍの交差点毎にそれぞれ設けられた複数の画素部２１を備えている。この画素部２１は、走査線Ｇｎ及び信号線Ｓｍの交差点に設けられたスイッチ素子２１ａ、及びそのスイッチ素子２１ａに接続された画素容量２１ｂから構成されている。スイッチ素子２１ａとしては、例えばポリシリコン型の薄膜トランジスタを用いる。この薄膜トランジスタのゲートは走査線Ｇｎに接続され、そのソースは信号線Ｓｍに接続され、そのドレインは画素容量２１ｂに接続されている。画素容量２１ｂとしては、例えば液晶材料により構成された液晶容量を用いる。
【００１４】
走査線駆動回路３は、外部駆動回路５から供給された制御信号に応じて、各走査線Ｇｎに対し１水平走査期間毎に走査信号を順次出力して各走査線Ｇｎをそれぞれ駆動する。ここで、走査信号はスイッチ素子２１ａを駆動（オン）する走査電圧をスイッチ素子２１ａに与える信号である。
【００１５】
信号線駆動回路４は、外部駆動回路５から供給された制御信号に応じて、各信号線Ｓｍに対し走査信号に同期させて画像信号、例えば映像信号をそれぞれ出力して各信号線Ｓｍをそれぞれ駆動する。ここで、画像信号は表示データに基づいて画素容量２１ｂに信号電圧を与える信号である。
【００１６】
外部駆動回路５は、走査線駆動回路３及び信号線駆動回路４を駆動制御するための各種の制御信号を走査線駆動回路３及び信号線駆動回路４にそれぞれ入力する。制御信号としては、スタート信号ＳＴＶ、クロック信号ＣＫＶ、イネーブル信号ＥＮＡ、スタート信号ＳＴＨ、クロック信号ＣＫＨ、上下反転制御信号ＣＳＨ及びサイドブラック制御信号ＳＢ等がある。なお、スタート信号ＳＴＶ、クロック信号ＣＫＶ及びイネーブル信号ＥＮＡが走査線駆動回路３に入力され、スタート信号ＳＴＨ、クロック信号ＣＫＨ、上下反転制御信号ＣＳＨ及びサイドブラック制御信号ＳＢが信号線駆動回路４に入力される。
【００１７】
ここで、外部駆動回路５は、サイド領域２ｂ及びセンター領域２ｃの全領域に画像表示（例えばフルカラー表示）を行う全画面表示としてワイド表示（１６：９表示）を行う場合、サイドブラック制御信号ＳＢをロウレベルとし、表示モードをワイド表示モードに設定する。また、外部駆動回路５は、サイド領域２ｂに黒表示を行いセンター領域２ｃに画像表示（例えばフルカラー表示）を行う部分画面表示としてサイドブラック表示（４：３表示）を行う場合、サイドブラック制御信号ＳＢをハイレベルとし、表示モードをサイドブラック表示モードに設定する。さらに、外部駆動回路５は、走査方向を順方向とする場合（順方向スキャン）、上下反転制御信号ＣＳＨをハイレベルとし、走査方向を順方向に設定し、走査方向を逆方向とする場合（逆方向スキャン）、上下反転制御信号ＣＳＨをロウレベルとし、走査方向を逆方向に設定する。
【００１８】
図２ないし図５に示すように、信号線駆動回路４は、各信号線Ｓｍをそれぞれ走査する複数の走査部ＳＣ１〜ＳＣ７、サイドブラック制御信号ＳＢに基づいて３つのサイドブラック制御信号ＳＢ１、ＳＢ２、ＳＢ３を生成する生成回路４１、及びそれらのサイドブラック制御信号ＳＢ１、ＳＢ２、ＳＢ３と上下反転制御信号ＣＳＨとに基づいて各走査部ＳＣ１〜ＳＣ７の接続を切り替える切替回路４２等を備えている。
【００１９】
各走査部ＳＣ１〜ＳＣ３、ＳＣ５〜ＳＣ７は、サイド領域２ｂに位置する複数の信号線Ｓｍを複数の信号線群、例えば６つの信号線群に分割する回路である。また、走査部ＳＣ４は、センター領域２ｃに位置する複数の信号線Ｓｍを１つの信号線群とする回路である。これらの走査部ＳＣ１〜ＳＣ７は、サイド領域２ｂの複数の信号線群及びセンター領域２ｃの信号線群にそれぞれ対応させて設けられており、それぞれ対応する信号線群の各信号線Ｓｍを順次走査する。
【００２０】
生成回路４１は、サイドブラック制御信号ＳＢから３つのサイドブラック制御信号ＳＢ１、ＳＢ２、ＳＢ３を生成し、それらのサイドブラック制御信号ＳＢ１、ＳＢ２、ＳＢ３をワイド表示及びサイドブラック表示に応じて切替回路４２に切替制御信号として出力する。
【００２１】
切替回路４２は、上下反転制御信号ＣＳＨにより制御されるスイッチＳＷ１及びスイッチＳＷ８と、サイドブラック制御信号ＳＢ１により制御されるスイッチＳＷ２、スイッチＳＷ３、スイッチＳＷ６及びスイッチＳＷ７と、サイドブラック制御信号ＳＢ２により制御されるスイッチＳＷ５と、サイドブラック制御信号ＳＢ３により制御されるスイッチＳＷ４とにより構成されている。各スイッチＳＷ１〜ＳＷ８には、スタート信号ＳＴＨが入力されるスタート信号供給線ＳＴ１が接続されている。
【００２２】
スタート信号供給線ＳＴ１と走査部ＳＣ１とはスイッチＳＷ１を介して接続されており、走査部ＳＣ１と走査部ＳＣ２とはスイッチＳＷ２を介して接続されており、走査部ＳＣ２と走査部ＳＣ３とはスイッチＳＷ３を介して接続されており、走査部ＳＣ３と走査部ＳＣ４とはスイッチＳＷ４を介して接続されている。また、走査部ＳＣ４と走査部ＳＣ５とはスイッチＳＷ５を介して接続されており、走査部ＳＣ５と走査部ＳＣ６とはスイッチＳＷ６を介して接続されており、走査部ＳＣ６と走査部ＳＣ７とはスイッチＳＷ７を介して接続されており、走査部ＳＣ７とスタート信号供給線ＳＴ１とはスイッチＳＷ８を介して接続されている。
【００２３】
ここで、生成回路４１の構成について詳しく説明する。
【００２４】
図６に示すように、生成回路４１は、ワイド表示モード（１６：９）／順方向スキャン（ＣＳＨ＝Ｈ）及び逆方向スキャン（ＣＳＨ＝Ｌ）である場合、ＳＢ１＝ＳＢ２＝ＳＢ３＝Ｌ（ロウレベル）となり、サイドブラック表示モード（４：９）／順方向スキャン（ＣＳＨ＝Ｈ）である場合、ＳＢ１＝ＳＢ２＝Ｈ（ハイレベル）及びＳＢ３＝Ｌ（ロウレベル）となり、サイドブラック表示モード（４：３）／逆方向スキャン（ＣＳＨ＝Ｌ）である場合、ＳＢ１＝ＳＢ３＝Ｈ（ハイレベル）及びＳＢ２＝Ｌ（ロウレベル）となる３つのサイドブラック制御信号ＳＢ１、ＳＢ２、ＳＢ３を生成するように構成されている。これにより、走査方向によらずサイドブラック表示を行うことが可能になる。
【００２５】
図７に示すように、この生成回路４１は、バッファ４１ａ、複数のＮＯＴ回路４１ｂ及び２つのＮＡＮＤ回路４１ｃにより構成されている。バッファ４１ａには、サイドブラック制御信号ＳＢが入力される。このバッファ４１ａの出力が４つのＮＯＴ回路４１ｂを介してサイドブラック制御信号ＳＢ１となる。ＮＡＮＤ回路４１ｃには、サイドブラック制御信号ＳＢ１と上下反転制御信号ＣＳＨとが入力される。このＮＡＮＤ回路４１ｃの出力が３つのＮＯＴ回路４１ｂを介してサイドブラック制御信号ＳＢ２となる。また、他方のＮＡＮＤ回路４１ｃには、サイドブラック制御信号ＳＢ１が入力され、さらに上下反転制御信号ＣＳＨがＮＯＴ回路４１ｂを介して入力される。このＮＡＮＤ回路４１ｃの出力が３つのＮＯＴ回路４１ｂを介してサイドブラック制御信号ＳＢ３となる。
【００２６】
順方向スキャンのワイド表示モードでは、サイドブラック制御信号ＳＢがロウレベル（Ｌ）であり、上下反転制御信号ＣＳＨがハイレベル（Ｈ）であるため、サイドブラック制御信号ＳＢ１、サイドブラック制御信号ＳＢ２及びサイドブラック制御信号ＳＢ３は全てロウレベル（Ｌ）となる。また、逆方向スキャンのワイド表示モードでは、サイドブラック制御信号ＳＢがロウレベル（Ｌ）であり、上下反転制御信号ＣＳＨがロウレベル（Ｌ）であるため、サイドブラック制御信号ＳＢ１、サイドブラック制御信号ＳＢ２及びサイドブラック制御信号ＳＢ３は全てロウレベル（Ｌ）となる。
【００２７】
順方向スキャンのサイドブラック表示モードでは、サイドブラック制御信号ＳＢがハイレベル（Ｈ）であり、上下反転制御信号ＣＳＨがハイレベル（Ｈ）であるため、サイドブラック制御信号ＳＢ１及びサイドブラック制御信号ＳＢ２はハイレベル（Ｈ）になり、サイドブラック制御信号ＳＢ３はロウレベル（Ｌ）となる。また、逆方向スキャンのサイドブラック表示モードでは、サイドブラック制御信号ＳＢがハイレベル（Ｈ）であり、上下反転制御信号ＣＳＨがロウレベル（Ｌ）であるため、サイドブラック制御信号ＳＢ１及びサイドブラック制御信号ＳＢ３はハイレベル（Ｈ）になり、サイドブラック制御信号ＳＢ２はロウレベル（Ｌ）となる。
【００２８】
これらのサイドブラック制御信号ＳＢ１、ＳＢ２、ＳＢ３が切替回路４２に切替制御信号として入力される。切替回路４２は、入力されたサイドブラック制御信号ＳＢ１、ＳＢ２、ＳＢ３に応じて各スイッチＳＷ２〜ＳＷ７を切り替え、上下反転制御信号ＣＳＨに応じて各スイッチＳＷ１、ＳＷ８を切り替える。
【００２９】
次いで、走査部ＳＣ１〜ＳＣ７の構成について詳しく説明する。
【００３０】
図８ないし図１１に示すように、各走査部ＳＣ１〜ＳＣ３は、複数のシフトレジスタＳＲ１〜ＳＲ１７及び複数の出力段ＯＵＴ１〜ＯＵＴ１６によりそれぞれ構成されている。また、走査部ＳＣ４は、複数のシフトレジスタＳＲ１８〜ＳＲ１７２及び複数の出力段ＯＵＴ１７〜ＯＵＴ１７１により構成されている。さらに、各走査部ＳＣ５〜ＳＣ７は、複数のシフトレジスタＳＲ１７３〜ＳＲ１８８及び複数の出力段ＯＵＴ１７２〜ＯＵＴ１８７によりそれぞれ構成されている。各走査部ＳＣ１〜ＳＣ７は、例えば半クロック型のシフトレジスタ回路である。
【００３１】
各シフトレジスタＳＲ１〜ＳＲ１８８では、スタート信号ＳＴＨが入力されるシフトレジスタから順番に、シフトレジスタ奇数段は、クロック信号ＣＫＨがハイレベルでアクティブとなるＨアクティブであり、シフトレジスタ偶数段は、クロック信号ＣＫＨがロウレベルでアクティブとなるＬアクティブである。
【００３２】
このようなシフトレジスタＳＲ１〜ＳＲ１８８のクロック信号ＣＫＨに対する論理関係を順方向スキャン及び逆方向スキャンのどちらでも維持するため、図８ないし図１１に示すように、スタート信号供給線ＳＴ１と各シフトレジスタＳＲ１、ＳＲ６、ＳＲ１２、ＳＲ１７、ＳＲ１７３、ＳＲ１７８、ＳＲ１８４、ＳＲ１８８との間には、ダミーシフトレジスタＤ１〜Ｄ１７がそれぞれ設けられている。すなわち、ダミーシフトレジスタＤ１〜Ｄ１７は、シフトレジスタ奇数段とシフトレジスタ偶数段とが、それぞれ入力される入力信号に対するクロック信号ＣＫＨの位相が反転となる関係にあるように設けられている。
【００３３】
図８及び図９に示すように、シフトレジスタＳＲ１の入力には、１段のダミーシフトレジスタＤ１が接続されており、シフトレジスタＳＲ１８８の入力には、２段のダミーシフトレジスタＤ２、Ｄ３が接続されている。なお、図８に示すように、順方向スキャンのワイド表示モードでは、スタート信号ＳＴＨがダミーシフトレジスタＤ１に入力される。また、図９に示すように、逆方向スキャンのワイド表示モードでは、スタート信号ＳＴＨがダミーシフトレジスタＤ３に入力される。
【００３４】
図１０及び図１１に示すように、シフトレジスタＳＲ６、ＳＲ１２、ＳＲ１７８、ＳＲ１８４の入力には、２段のダミーシフトレジスタＤ１〜Ｄ１１がそれぞれ接続されている。また、図１０に示すように、シフトレジスタＳＲ１７３の入力には、３段のダミーシフトレジスタＤ１２〜Ｄ１４が接続されている。さらに、図１１に示すように、シフトレジスタＳＲ１７の入力には、３段のダミーシフトレジスタＤ１５〜Ｄ１７が接続されている。なお、各ダミーシフトレジスタＤ２、Ｄ５、Ｄ７、Ｄ９、Ｄ１１、Ｄ１４、Ｄ１７は、各出力段ＯＵＴ１８７、ＯＵＴ５、ＯＵＴ１１、ＯＵＴ１７２、ＯＵＴ１７７、ＯＵＴ１８３、ＯＵＴ１６にそれぞれ接続されている。
【００３５】
図１０に示すように、順方向スキャンのサイドブラック表示モードでは、スタート信号ＳＴＨが各ダミーシフトレジスタＤ１、Ｄ４、Ｄ６、Ｄ８、Ｄ１０、Ｄ１２にそれぞれ入力される。また、図１１に示すように、逆方向スキャンのサイドブラック表示モードでは、スタート信号ＳＴＨが各ダミーシフトレジスタＤ３、Ｄ４、Ｄ６、Ｄ８、Ｄ１０、Ｄ１５にそれぞれ入力される。
【００３６】
次に、このような構成の平面表示装置１の各表示モードでの表示動作について説明する。特に、切替回路４２の各スイッチＳＷ１〜ＳＷ８による切替動作及び走査部ＳＣ１〜ＳＣ７による走査動作について説明する。
【００３７】
＜順方向スキャンのワイド表示モード＞
外部駆動回路５は、サイドブラック制御信号ＳＢをロウレベル（Ｌ）とし、上下反転制御信号ＣＳＨをハイレベル（Ｈ）とし、表示モードを順方向スキャンのワイド表示モードに設定する。これに応じて、生成回路４１は、サイドブラック制御信号ＳＢ１、サイドブラック制御信号ＳＢ２及びサイドブラック制御信号ＳＢ３を全てロウレベル（Ｌ）にする（図６参照）。
【００３８】
これにより、切替回路４１は、図２に示すように、スイッチＳＷ１によりスタート信号供給線ＳＴ１と走査部ＳＣ１とを接続し、スイッチＳＷ８によりスタート信号供給線ＳＴ１と走査部ＳＣ７とを切り離す。また、切替回路４１は、スイッチＳＷ２により走査部ＳＣ１と走査部ＳＣ２とを接続し、スイッチＳＷ３により走査部ＳＣ２と走査部ＳＣ３とを接続し、スイッチＳＷ４により走査部ＳＣ３と走査部ＳＣ４とを接続し、スイッチＳＷ５により走査部ＳＣ４と走査部ＳＣ５とを接続し、スイッチＳＷ６により走査部ＳＣ５と走査部ＳＣ６とを接続し、スイッチＳＷ７により走査部ＳＣ６と走査部ＳＣ７とを接続する。
【００３９】
このような状態で、スタート信号ＳＴＨが走査部ＳＣ１に入力されると、走査部ＳＣ１〜ＳＣ７はその並び順（ＳＣ１→ＳＣ２→ＳＣ３→ＳＣ４→ＳＣ５→ＳＣ６→ＳＣ７という順）で順次駆動する（順方向スキャン：図２中の左から右へ）。すなわち、走査部ＳＣ１は対応する各信号線Ｓｍを順次走査し、続いて、走査部ＳＣ２も対応する各信号線Ｓｍを順次走査し、同じように走査部Ｃ３〜走査部ＳＣ７も対応する各信号線Ｓｍを順次走査する。この走査に応じて、映像信号が表示領域２ａの各画素部２１に書き込まれ、表示領域２ａ、すなわちサイド領域２ｂ及びセンター領域２ｃの全領域に映像（画像）が表示される。
【００４０】
＜逆方向スキャンのワイド表示モード＞
外部駆動回路５は、サイドブラック制御信号ＳＢをロウレベル（Ｌ）とし、上下反転制御信号ＣＳＨをロウレベル（Ｌ）とし、表示モードを逆方向スキャンのワイド表示モードに設定する。これに応じて、生成回路４１は、サイドブラック制御信号ＳＢ１、サイドブラック制御信号ＳＢ２及びサイドブラック制御信号ＳＢ３を全てロウレベル（Ｌ）にする（図６参照）。
【００４１】
これにより、切替回路４１は、図３に示すように、スイッチＳＷ１によりスタート信号供給線ＳＴ１と走査部ＳＣ１とを切り離し、スイッチＳＷ８によりスタート信号供給線ＳＴ１と走査部ＳＣ７とを接続する。また、切替回路４１は、スイッチＳＷ２により走査部ＳＣ１と走査部ＳＣ２とを接続し、スイッチＳＷ３により走査部ＳＣ２と走査部ＳＣ３とを接続し、スイッチＳＷ４により走査部ＳＣ３と走査部ＳＣ４とを接続し、スイッチＳＷ５により走査部ＳＣ４と走査部ＳＣ５とを接続し、スイッチＳＷ６により走査部ＳＣ５と走査部ＳＣ６とを接続し、スイッチＳＷ７により走査部ＳＣ６と走査部ＳＣ７とを接続する。
【００４２】
このような状態で、スタート信号ＳＴＨが走査部ＳＣ７に入力されると、走査部ＳＣ７〜ＳＣ１はその並び順（ＳＣ７→ＳＣ６→ＳＣ５→ＳＣ４→ＳＣ３→ＳＣ２→ＳＣ１という順）で順次駆動する（逆方向スキャン：図３中の右から左へ）。すなわち、走査部ＳＣ７は対応する各信号線Ｓｍを順次走査し、続いて、走査部ＳＣ６も対応する各信号線Ｓｍを順次走査し、同じように走査部ＳＣ５〜走査部ＳＣ１も対応する各信号線Ｓｍを順次走査する。この走査に応じて、映像信号が表示領域２ａの各画素部２１に書き込まれ、表示領域２ａ、すなわちサイド領域２ｂ及びセンター領域２ｃの全領域に映像（画像）が表示される。
【００４３】
＜順方向スキャンのサイドブラック表示モード＞
外部駆動回路５は、サイドブラック制御信号ＳＢをハイレベル（Ｈ）とし、上下反転制御信号ＣＳＨをハイレベル（Ｈ）とし、表示モードを順方向スキャンのサイドブラック表示モードに設定する。これに応じて、生成回路４１は、サイドブラック制御信号ＳＢ１及びサイドブラック制御信号ＳＢ２をハイレベル（Ｈ）とし、サイドブラック制御信号ＳＢ３をロウレベル（Ｌ）とする（図６参照）。
【００４４】
これにより、切替回路４１は、図４に示すように、スイッチＳＷ１によりスタート信号供給線ＳＴ１と走査部ＳＣ１とを接続し、スイッチＳＷ８によりスタート信号供給線ＳＴ１と走査部ＳＣ７とを切り離す。また、切替回路４１は、スイッチＳＷ２によりスタート信号供給線ＳＴ１と走査部ＳＣ２とを接続し、スイッチＳＷ３によりスタート信号供給線ＳＴ１と走査部ＳＣ３とを接続し、スイッチＳＷ４により走査部ＳＣ３と走査部ＳＣ４とを接続し、スイッチＳＷ５によりスタート信号供給線ＳＴ１と走査部ＳＣ５とを接続し、スイッチＳＷ６によりスタート信号供給線ＳＴ１と走査部ＳＣ６とを接続し、スイッチＳＷ７によりスタート信号供給線ＳＴ１と走査部ＳＣ７とを接続する。
【００４５】
このような状態で、スタート信号ＳＴＨが走査部ＳＣ１〜ＳＣ３及び走査部ＳＣ５〜ＳＣ７に入力されると、走査部ＳＣ１〜ＳＣ３及び走査部ＳＣ５〜ＳＣ７は同時に駆動する。すなわち、走査部ＳＣ１は対応する各信号線Ｓｍを順次走査し（順方向スキャン：図４中の左から右へ）、同時に、走査部ＳＣ２、走査部ＳＣ３及び走査部ＳＣ５〜ＳＣ７も対応する各信号線Ｓｍを順次走査する。この走査に応じて、黒がサイド領域２ｂの各画素部２１に書き込まれ、サイド領域２ｂに黒ベタが表示される。また、走査部ＳＣ３の出力が走査部ＳＣ４に入力されるので、走査部ＳＣ３の走査後、すなわち黒書き込み後、走査部ＳＣ４も対応する各信号線Ｓｍを順次走査する。この走査に応じて、映像信号がセンター領域２ｃの各画素部２１に書き込まれ、センター領域２ｃに映像（画像）が表示される。
【００４６】
＜逆方向スキャンのサイドブラック表示モード＞
外部駆動回路５は、サイドブラック制御信号ＳＢをハイレベル（Ｈ）とし、上下反転制御信号ＣＳＨをロウレベル（Ｌ）とし、表示モードを逆方向スキャンのサイドブラック表示モードに設定する。これに応じて、生成回路４１は、サイドブラック制御信号ＳＢ１及びサイドブラック制御信号ＳＢ３をハイレベル（Ｈ）とし、サイドブラック制御信号ＳＢ２をロウレベル（Ｌ）とする（図６参照）。
【００４７】
これにより、切替回路４１は、図５に示すように、スイッチＳＷ１によりスタート信号供給線ＳＴ１と走査部ＳＣ１とを切り離し、スイッチＳＷ８によりスタート信号供給線ＳＴ１と走査部ＳＣ７とを接続する。また、切替回路４１は、スイッチＳＷ２によりスタート信号供給線ＳＴ１と走査部ＳＣ１とを接続し、スイッチＳＷ３によりスタート信号供給線ＳＴ１と走査部ＳＣ２とを接続し、スイッチＳＷ４によりスタート信号供給線ＳＴ１と走査部ＳＣ３とを接続し、スイッチＳＷ５により走査部ＳＣ４と走査部ＳＣ５とを接続し、スイッチＳＷ６によりスタート信号供給線ＳＴ１と走査部ＳＣ５とを接続し、スイッチＳＷ７によりスタート信号供給線ＳＴ１と走査部ＳＣ６とを接続する。
【００４８】
このような状態で、スタート信号ＳＴＨが走査部ＳＣ７〜ＳＣ５及び走査部ＳＣ３〜ＳＣ１に入力されると、走査部ＳＣ７〜ＳＣ５及び走査部ＳＣ３〜ＳＣ１は同時に駆動する。すなわち、走査部ＳＣ７は対応する各信号線Ｓｍを順次走査し（逆方向スキャン：図５中の右から左へ）、同時に、走査部ＳＣ６、走査部ＳＣ５及び走査部ＳＣ３〜ＳＣ１も対応する各信号線Ｓｍを順次走査する。この走査に応じて、黒がサイド領域２ｂの各画素部２１に書き込まれ、サイド領域２ｂに黒ベタが表示される。また、走査部ＳＣ５の出力が走査部ＳＣ４に入力されるので、走査部ＳＣ５の走査後、すなわち黒書き込み後、走査部ＳＣ４も対応する各信号線Ｓｍを順次走査する。この走査に応じて、映像信号がセンター領域２ｃの各画素部２１に書き込まれ、センター領域２ｃに映像（画像）が表示される。
【００４９】
ここで、図１２に示すように、順方向スキャン及び逆方向スキャンのワイド表示モードでは、アスペクト比が１６：９である表示画面の表示領域２ａの全領域、例えば、５６０ｄｏｔ×２２０ｌｉｎｅの全領域に映像を表示する。このワイド表示モードでは、ビデオ映像範囲Ａ１の５３．３μｓのうちの４８．４８μｓが映像表示領域Ａ２として表示領域２ａに表示される。
【００５０】
また、図１３に示すように、順方向スキャン及び逆方向スキャンのサイドブラック表示モードでは、例えば、４５８ｄｏｔ×２２０ｌｉｎｅのセンター領域２ｃに映像を表示し、その領域の両側に位置するそれぞれ５１ｄｏｔ×２２０ｌｉｎｅの２つのサイド領域２ｂに黒表示を行うサイドブラック表示を行う。このサイドブラック表示モードでは、ビデオ映像範囲Ａ１の５３．３μｓの１００％が映像表示領域Ａ３としてセンター領域２ｃに表示され、さらに、サイド領域２ｂに黒書き込みが行われる。
【００５１】
このような場合、図１４に示すように、順方向スキャン及び逆方向スキャンのワイド表示モード（１６：９）では、外部から送られ映像期間が５３．３３μｓである映像信号（Ｖｉｄｅｏ）に対して、走査部ＳＣ１〜ＳＣ７を用いて４８．４８μｓの期間が表示領域２ａに表示される。スタート信号ＳＴＨが入力されてから半クロック毎に１画素ずつ書き込まれ、映像信号の書き込みが行われる。ここで、走査部ＳＣ１〜ＳＣ７の動作用のクロック信号ＣＫＨの周波数は１．９３ＭＨｚであり、必要とするパネル水平ブランキング期間は１５．０８μｓである。
【００５２】
また、図１４に示すように、順方向スキャン及び逆方向スキャンのサイドブラック表示モード（４：３）では、外部から送られ映像期間が５３．３３μｓである映像信号（Ｖｉｄｅｏ）に対して、走査部ＳＣ４を用いて５３．３３μｓの期間がフルでセンター領域２ｃに表示される。さらに、各走査部ＳＲ１〜ＳＲ３、ＳＲ５〜ＳＲ７を同時に走査することにより、サイド領域２ｂに黒書き込みが各走査部ＳＲ１〜ＳＲ３、ＳＲ５〜ＳＲ７毎に行われる。スタート信号ＳＴＨが入力されてから半クロック毎に１画素ずつ書き込まれる。黒書き込みは、各走査部ＳＲ１〜ＳＲ３、ＳＲ５〜ＳＲ７により同時に行われ、走査部ＳＲ３による黒書き込み後、映像信号の書き込みが走査部ＳＲ４により行われる。このとき、黒書き込みは、映像信号のブランク期間内に完了する。ここで、走査部ＳＣ１〜ＳＣ７の動作用のクロック信号ＣＫＨの周波数は約１．４３ＭＨｚであり、必要とするパネル水平ブランキング期間は７．２６μｓである。
【００５３】
以上説明したように、本実施の形態によれば、部分画面表示としてサイドブラック表示を行う場合、サイド領域２ｂに対応する各走査部ＳＣ１〜ＳＣ３、ＳＣ５〜ＳＣ７を同時に走査することによって、サイド領域２ｂに対する黒表示が各走査部ＳＣ１〜ＳＣ３、ＳＣ５〜ＳＣ７毎に同時に行われ、映像信号のブランク期間内にそれぞれの黒表示（黒書き込み）が完了する。これにより、クロック信号ＣＫＨのクロック周波数を高速化する必要がなくなり、さらに黒表示の書き込み時間も不足することがなくなり、加えて画像表示の書き込み時間を十分に確保することが可能になるので、サイドブラック表示を行う場合、クロック周波数の高速化を行わず、高画質な画像表示を行うことができる。また、クロック周波数を高速化する必要がなくなることから、クロック周波数を変化させる専用回路等を設ける必要がなくなるので、平面表示装置１のコストアップを抑えることができる。
【００５４】
さらに、信号線駆動回路４は、サイド領域２ｂの複数の信号線群及びセンター領域２ｃの信号線群にそれぞれ対応させて設けられ、それぞれ対応する信号線群の各信号線Ｓｍを順次走査する複数の走査部ＳＣ１〜ＳＣ７と、ワイド表示を行う場合、サイド領域２ｂの複数の走査部ＳＣ１〜ＳＣ３、ＳＣ５〜ＳＣ７及びセンター領域２ｃの走査部ＳＣ４をそれぞれ接続し、サイドブラック表示を行う場合、サイド領域２ｂの複数の走査部ＳＣ１〜ＳＣ３、ＳＣ５〜ＳＣ７をそれぞれ切り離す切替回路４２とを具備していることから、専用回路等を必要とせず、簡単な構成により、クロック周波数の高速化を行わず、高画質な画像表示を行うことができる。
【００５５】
また、複数の走査部ＳＣ１〜ＳＣ７の接続を切り替える複数の切替制御信号、例えばサイドブラック制御信号ＳＢ１〜ＳＢ３を生成し、ワイド表示及びサイドブラック表示に応じてそれらのサイドブラック制御信号ＳＢ１〜ＳＢ３を切替回路４２に出力する生成回路４１を備えることから、専用回路等を必要とせず、簡単な構成により、クロック周波数の高速化を行わず、高画質な画像表示を行うことができる。
【００５６】
さらに、複数の走査部ＳＣ１〜ＳＣ７は、動作用のクロック信号ＣＫＨに同期して動作する複数のシフトレジスタＳＲ１〜ＳＲ１８８を有する半クロックシフト型のシフトレジスタ回路であり、シフトレジスタ奇数段とシフトレジスタ偶数段とが、それぞれ入力される入力信号に対するクロック信号ＣＫＨの位相が反転となる関係にあるように各シフトレジスタＳＲ１、ＳＲ６、ＳＲ１２、ＳＲ１７、ＳＲ１７３、ＳＲ１７８、ＳＲ１８４、ＳＲ１８８に接続されたダミーシフトレジスタＤ１〜Ｄ１７を具備していることから、走査方向が変化する場合でも、複数の走査部ＳＣ１〜ＳＣ７は正確に動作することができる。
【００５７】
（他の実施の形態）
なお、本発明は、前述の実施の形態に限るものではなく、その要旨を逸脱しない範囲において種々変更可能である。
【００５８】
例えば、前述の実施の形態においては、画素容量２１として液晶容量を用いているが、これに限るものではなく、例えば発光体により形成された発光層を有する発光容量を用いて、平面表示装置１を有機ＥＬディスプレイとして形成するようにしてもよい。
【００５９】
また、前述の実施の形態においては、第１表示領域として表示領域２ａの両側にサイド領域２ｂを設けているが、これに限るものではなく、例えば表示領域２ａの片側だけにサイド領域２ｂを設けるようにしてもよい。
【００６０】
また、前述の実施の形態においては、サイドブラック表示としてサイド領域２ｂに黒表示を行っているが、これに限るものではなく、例えばサイド領域２ｂに他の色の単色表示を行うようにしてもよい。
【００６１】
また、前述の実施の形態においては、順方向スキャンのサイドブラック表示を行う場合、走査部ＳＣ３と走査部ＳＣ４とを接続し、また、逆方向スキャンのサイドブラック表示を行う場合、走査部ＳＣ５と走査部ＳＣ４とを接続しているが、これに限るものではなく、例えば、どちらの場合でも、スタート信号供給線ＳＴ１と走査部ＳＣ４とを接続するようにしてもよい。この場合には、黒以外の単色表示用の映像信号と画像表示用の映像信号とを独立させて供給する必要がある。
【図面の簡単な説明】
【００６２】
【図１】本発明の実施の一形態に係る平面表示装置の概略構成を示す模式図である。
【図２】図１に示す平面表示装置が備える信号線駆動回路の概略構成を示し、信号線駆動回路が備える切替回路の順方向スキャンのワイド表示モードの切替状態を示す回路図である。
【図３】図２に示す信号線駆動回路が備える切替回路の逆方向スキャンのワイド表示モードの切替状態を示す回路図である。
【図４】図２に示す信号線駆動回路が備える切替回路の順方向スキャンのサイドブラック表示モードの切替状態を示す回路図である。
【図５】図２に示す信号線駆動回路が備える切替回路の逆方向スキャンのサイドブラック表示モードの切替状態を示す回路図である。
【図６】図２に示す信号線駆動回路が備える生成回路の真理値を示す説明図である。
【図７】図２に示す信号線駆動回路が備える生成回路の概略構成を示す回路図である。
【図８】図２に示す信号線駆動回路が備える走査部の概略構成を示す回路図である。
【図９】図２に示す信号線駆動回路が備える走査部の概略構成を示す回路図である。
【図１０】図２に示す信号線駆動回路が備える走査部の概略構成を示す回路図である。
【図１１】図２に示す信号線駆動回路が備える走査部の概略構成を示す回路図である。
【図１２】ワイド表示モードにおける映像表示領域とビデオ映像範囲との関係を説明するための説明図である。
【図１３】サイドブラック表示モードにおける映像表示領域とビデオ映像範囲との関係を説明するための説明図である。
【図１４】ワイド表示モード及びサイドブラック表示モードにおけるタイミングチャートを示す模式図である。
【符号の説明】
【００６３】
１                  平面表示装置
２ｂ                第１表示領域
２ｃ                第２表示領域
３                  走査線駆動回路
４                  信号線駆動回路
２１                画素部
４１                生成回路
４２                切替回路
Ｇｎ                走査線
Ｓｍ                信号線
ＳＣ１〜ＳＣ７      走査部
ＳＲ１〜ＳＲ１８８  シフトレジスタ
Ｄ１〜Ｄ１７        ダミーシフトレジスタ
【図１】
2007148086.tif 000003
【図２】
2007148086.tif 000004
【図３】
2007148086.tif 000005
【図４】
2007148086.tif 000006
【図５】
2007148086.tif 000007
【図６】
2007148086.tif 000008
【図７】
2007148086.tif 000009
【図８】
2007148086.tif 000010
【図９】
2007148086.tif 000011
【図１０】
2007148086.tif 000012
【図１１】
2007148086.tif 000013
【図１２】
2007148086.tif 000014
【図１３】
2007148086.tif 000015
【図１４】
2007148086.tif 000016